(57)【特許請求の範囲】
【請求項１】
元の映像と重畳する映像とをディスプレイするための色差信号のスーパーインポーズ装置において、
前記重畳する映像の輪郭に対する色差信号の大きさと位相に関する情報によって、前記重畳する映像の輪郭として表示される輪郭色差信号を設定する輪郭色差信号設定手段と、
前記重畳する映像の輪郭の内部に表現される色差信号の大きさを設定するための利得係数に応じて前記元の映像の色差信号の大きさを変更し、前記重畳する映像の輪郭の内部に表示される形状色差信号を設定する形状色差信号設定手段と、
前記重畳する映像の形態と位置に関する情報に応じて色差信号の表示される画面上の位置を決定するための位置信号を生成する位置信号発生手段と、
前記位置信号に応じて前記元の映像の色差信号、前記形状色差信号及び前記輪郭色差信号のうち、いずれか一つの色差信号を選択して出力する色差信号選択手段とを含み、
前記重畳する映像の輪郭の内部には前記形状色差信号、前記重畳する映像の輪郭の位置には前記輪郭色差信号、そして前記元の映像の表示される位置には前記元の映像の色差信号を出力することを特徴とするスーパーインポーズ装置。
【請求項２】
所定のスレショルド電圧に関する情報に応じて前記元の映像の色差信号に所定値を加減してスレショルド色差信号を発生する手段と、
前記スレショルド色差信号と前記形状色差信号の大きさを比較して前記形状色差信号が前記スレショルド色差信号よりも大きいときの前記重畳する映像の位置に関する情報を発生するための位置情報発生手段とをさらに具備し、
前記色差信号選択手段は前記形状色差信号が前記スレショルド色差信号より大きいときには前記位置情報に応じて所定の位置に前記スレショルド色差信号を出力することを特徴とする請求項１に記載のスーパーインポーズ装置。
【請求項３】
前記元の映像と重畳する映像とをディスプレイするための輝度信号のスーパーインポーズ装置において、
前記重畳する映像の輪郭に対する輝度信号の大きさに関する情報に応じて前記重畳する映像の輪郭として表示される輪郭輝度信号を設定する輪郭輝度信号設定手段と、
前記重畳する映像を表示する輝度信号の大きさを設定するための利得係数に応じて前記元の映像の輝度信号の大きさを変更して前記重畳する映像の輪郭の内部に表示される重畳輝度信号を設定する重畳輝度信号設定手段と、
前記重畳する映像の形態と位置に関する情報によって輝度信号の表示される画面上の位置を決定する位置信号を生成する位置信号発生手段と、
前記位置信号に応じて前記元の映像の輝度信号、前記重畳輝度信号及び前記輪郭輝度信号のうち、一つの信号を選択するための輝度信号選択手段とを含み、
前記重畳する映像の輪郭の内部位置には前記重畳輝度信号、前記重畳する映像の輪郭位置には前記輪郭輝度信号、そして前記元の映像の表示される位置には前記元の映像の輝度信号を出力することを特徴とするスーパーインポーズ装置。
【請求項４】
所定のスレショルド値に関する情報によって前記元の映像の輝度信号に所定値を加減してスレショルド輝度信号を発生する手段と、
前記スレショルド輝度信号と前記重畳輝度信号の大きさを比較して前記重畳輝度信号が前記スレショルド輝度信号より大きいときの前記重畳する映像の位置に関する情報を発生する位置情報発生手段とをさらに具備し、
前記輝度信号選択手段は前記重畳輝度信号が前記スレショルド輝度信号より大きいときには前記位置情報によって定まった位置に前記スレショルド輝度信号を出力することを特徴とする請求項３に記載のスーパーインポーズ装置。
【請求項５】
元の映像と重畳する映像とをディスプレイするためのスーパーインポーズ装置において、
前記重畳する映像の輪郭に対する色差信号の大きさと位相に関する情報によって重畳する映像の輪郭として表示される輪郭色差信号を設定する輪郭色差信号設定手段と、
前記重畳する映像の輪郭の内部に表現される色差信号の大きさを設定するための利得係数に応じて前記元の映像の色差信号の大きさを変更して前記重畳する映像の輪郭の内部に表示される形状色差信号を設定する形状色差信号設定手段と、
前記重畳する映像の形態と位置に関する情報によって色差信号の表示される画面上の位置を決定する色差位置信号を生成する色差位置信号発生手段と、
前記色差位置信号に応じて前記元の映像の色差信号、前記形状色差信号及び前記輪郭色差信号のうち、いずれか一つの信号を選択して出力する色差信号選択手段と、
輝度信号と色差信号の同期を合わせるために前記輝度信号を所定時間遅らせて出力する遅延手段と、
前記重畳する映像を表現する輝度信号の大きさを設定するための利得係数に応じて前記元の映像の輝度信号の大きさを変更して前記重畳する映像の輪郭の内部に表示される重畳輝度信号を設定する重畳輝度信号設定手段と、
前記重畳する映像の輪郭に対する輝度信号の大きさに関する情報に応じて前記重畳する映像の輪郭として表示される輪郭輝度信号を設定する輪郭輝度信号設定手段と、
前記重畳する映像の形態と位置に関する情報によって輝度信号の表示される画面上の位置を決定する輝度位置信号を生成する輝度位置信号発生手段と、
前記輝度位置信号に応じて前記元の映像の輝度信号、前記重畳輝度信号及び前記輪郭輝度信号のうち、いずれか一つの信号を選択して出力する輝度信号選択手段とを含み、
前記重畳する映像の輪郭の内部位置には前記形状色差信号と前記重畳輝度信号、前記重畳する映像の輪郭の位置には前記輪郭色差信号と前記輪郭輝度信号、そして前記元の映像の表示される位置には前記元の映像の色差信号と輝度信号を出力することを特徴とするスーパーインポーズ装置。
【請求項６】
所定のスレショルド値に関する情報によって前記元の映像の色差信号に所定値を加減してスレショルド色差信号を発生する手段と、
前記スレショルド色差信号と前記形状色差信号の大きさを比較して前記形状色差信号が前記スレショルド色差信号より大きいときの前記重畳する映像の位置に関する情報を発生する色差位置情報発生手段とをさらに具備し、
前記色差信号選択手段は前記形状色差信号が前記スレショルド色差信号より大きいときには前記色差位置情報に応じて所定の位置に前記スレショルド色差信号を出力することを特徴とする請求項５に記載のスーパーインポーズ装置。
【請求項７】
所定のスレショルド値に関する情報によって前記元の映像の輝度信号に所定のスレショルド値を加減してスレショルド輝度信号を発生する手段と、
前記スレショルド輝度信号と前記重畳輝度信号の大きさを比較して前記重畳輝度信号が前記スレショルド輝度信号より大きいときの前記重畳する映像の位置に関する情報を発生する輝度位置情報発生手段とをさらに具備し、
前記輝度信号選択手段は前記重畳輝度信号が前記スレショルド輝度信号より大きいときには前記輝度位置情報によって定まった位置に前記スレショルド輝度信号を出力することを特徴とする請求項５に記載のスーパーインポーズ装置。
【発明の詳細な説明】
【０００１】
【発明の属する技術分野】
本発明は元の映像信号に他の映像信号を重畳させてディスプレイするスーパーインポーズ装置に係り、さらに詳細には元の映像の形態をそのまま保ちながら映像重畳又は文字混合を行うスーパーインポーズ装置に関する。
【０００２】
【従来の技術】
図７は従来の技術による色差信号のスーパーインポーズ装置を示すブロック図である。図中、制御信号ＳＩＣＳＥＬは重畳しようとする映像や混合しようとする文字に用いられる色信号を選択するための制御信号、そして制御信号ＳＩＣＢＬＫは重畳しようとする映像や混合しようとする文字の画面上の位置を指定する制御信号である。
【０００３】
色差信号のスーパーインポーズ装置は制御信号ＳＩＣＳＥＬに応じてアドレスを発生するアドレスデコーダ１、複数個のＲ−Ｙ色差信号レベルを貯蔵し、入力アドレスに対応してＲ−Ｙ色差信号ＳＩＲＹを出力する第１ＲＯＭ２、複数個のＢ−Ｙ色差信号レベルを貯蔵し、入力アドレスに対応してＢ−Ｙ色差信号ＳＩＢＹを出力する第２ＲＯＭ３、ＣＲＹ信号及びＳＩＲＹ信号を受けて位置制御信号ＳＩＣＢＬＫに応じてその中の一つの信号を出力する第１マックス４、第１マックス４の出力をサブクロックＳＣＫによってラッチするＤフリップフロップ５、ＣＢＹ信号及びＳＩＢＹ信号を受けて位置制御信号ＳＩＣＢＬＫに応じてその中の一つの信号を出力する第２マックス６及びサブクロックＳＣＫによって第２マックス６の出力をラッチするＤフリップフロップ７を含む。
【０００４】
図８は従来の技術による輝度信号のスーパーインポーズ装置を示したブロック図である。図中、制御信号ＳＩＹＳＥＬは重畳しようとする映像や混合しようとする文字に用いられる輝度信号を選択するための制御信号、そして制御信号ＳＩＹＢＬＫは重畳しようとする映像や混合しようとする文字の画面上の位置を指定する制御信号である。
【０００５】
輝度信号のスーパーインポーズ装置は制御信号ＳＩＹＳＥＬに応じてアドレスを発生するアドレスデコーダ８、複数個の輝度信号レベルを貯蔵し入力アドレスに対応して輝度信号を出力する第３ＲＯＭ９、輝度信号と色差信号との同期を合わせるために輝度信号を所定時間遅延させる遅延部１０、遅延部１０と第３ＲＯＭ９の出力を受けて位置制御信号ＳＩＹＢＬＫに応じてその中から一つの信号を出力する第３マックス１１及びシステムクロックＰＣＫに応じて第３マックス１１の出力をラッチするＤフリップフロップ１２を含む。ここで、サブクロックＳＣＫ周波数はシステムクロックＰＣＫ周波数の１／２である。
【０００６】
通常、カムコーダやＶＣＲなどで元の映像に所定の映像を重畳したり文字を混合するスーパーインポーズ装置は図７及び図８のような構成を有する。従来の技術によるスーパーインポーズ装置は重畳される画面上の位置にディスプレイされるべき元の映像を削除し、その代わりにＲＯＭ２，３，９からリードした重畳しようとする映像の輝度信号及び色差信号を元の映像が削除された位置にディスプレイする。これによって重畳位置にあった元の映像が削除される。さらに、文字混合もこれと同一の方法で行われる。
【０００７】
【発明が解決しようとする課題】
しかしながら、元の映像に映像重畳や文字混合を行う場合、重畳される画面上の位置に所定の映像信号が表示され、元の映像は削除されてしまう問題があった。
【０００８】
前述したような従来の問題点を解決するための本発明の目的は元の映像に映像又は文字混合を行っても重畳される位置の元の映像をそのまま保つスーパーインポーズ装置を提供することにある。
【０００９】
【課題を解決するための手段】
前記の目的を達成するために色差信号に対する本発明のスーパーインポーズ装置は、重畳する映像の輪郭に対する色差信号の大きさと位相に関する情報によって、重畳する映像の輪郭として表示される輪郭色差信号を設定する輪郭色差信号設定手段と、重畳する映像の輪郭の内部に表現される色差信号の大きさを設定するための利得係数に応じて元の映像の色差信号の大きさを変更し、重畳する映像の輪郭の内部に表示される形状色差信号を設定する形状色差信号設定手段と、重畳する映像の形態と位置に関する情報に応じて色差信号の表示される画面上の位置を決定するための位置信号を生成する位置信号発生手段と、位置信号に応じて元の映像の色差信号、形状色差信号及び輪郭色差信号のうち、いずれか一つの色差信号を選択して出力する色差信号選択手段とを含み、重畳する映像の輪郭の内部には形状色差信号、重畳する映像の輪郭の位置には輪郭色差信号、そして元の映像の表示される位置には元の映像の色差信号を出力することを特徴とする。
【００１０】
また、輝度信号に対する本発明のスーパーインポーズ装置は、重畳する映像の輪郭に対する輝度信号の大きさに関する情報に応じて重畳する映像の輪郭として表示される輪郭輝度信号を設定する輪郭輝度信号設定手段と、重畳する映像を表示する輝度信号の大きさを設定するための利得係数に応じて元の映像の輝度信号の大きさを変更して重畳する映像の輪郭の内部に表示される重畳輝度信号を設定する重畳輝度信号設定手段と、重畳する映像の形態と位置に関する情報によって輝度信号の表示される画面上の位置を決定する位置信号を生成する位置信号発生手段と、位置信号に応じて元の映像の輝度信号、重畳輝度信号及び輪郭輝度信号のうち、一つの信号を選択するための輝度信号選択手段とを含み、重畳する映像の輪郭の内部位置には重畳輝度信号、重畳する映像の輪郭位置には輪郭輝度信号、そして元の映像の表示される位置には元の映像の輝度信号を出力することを特徴とする。
【００１１】
【発明の実施の形態】
以下、添付した図面に基づき本発明の一実施形態を詳細に説明する。
【００１２】
図１は本発明によるＲ−Ｙ色差信号のスーパーインポーズ装置の構成を示したブロック図である。図１において、ＣＲＹＥＤＧＥ信号は重畳しようとする映像の輪郭に対するＲ−Ｙ色差信号の大きさ及び位相に関する情報を含む制御信号、ＳＩＲＹＬＣＴＬ信号は重畳しようとする映像の輪郭の内部に表示されるＲ−Ｙ色差信号の大きさを設定するための利得係数に関する情報を含む制御信号、ＣＶＩ信号は元の映像のＲ−Ｙ色差信号、ＳＩＲＹＴＨＡＤ信号は所定のスレショルド値に関する情報を含む制御信号、そしてＳＩＣＢＬＡＮＫ信号は重畳しようとする映像の形態及び位置に関する情報を含む制御信号である。
【００１３】
輪郭色差信号設定部２１はＣＲＹＥＤＧＥ信号に応じて重畳しようとする映像の輪郭として表示される輪郭Ｒ−Ｙ色差信号Ｃを設定する。
【００１４】
形状色差信号設定部２２は元の映像のＲ−Ｙ色差信号ＣＶＩ及びＳＩＲＹＬＣＴＬ信号を受けてＳＩＲＹＬＣＴＬ信号によって定まった利得係数に応じてＣＶＩ信号の大きさを変更し、重畳しようとする映像の輪郭の内部に表示される形状Ｒ−Ｙ色差信号Ｂの大きさを設定する。
【００１５】
スレショルド色差信号設定部２３はＳＩＲＹＴＨＡＤ信号及びＣＶＩ信号を受けてＳＩＲＹＴＨＡＤ信号に応じてＣＶＩ信号に所定値を加減して設定されたスレショルドＲ−Ｙ色差信号Ｄを発生する。さらに、形状Ｒ−Ｙ色差信号Ｂを受けてスレショルドＲ−Ｙ色差信号Ｄと形状Ｒ−Ｙ色差信号Ｂとの大きさを比較して形状Ｒ−Ｙ色差信号ＢがスレショルドＲ−Ｙ色差信号Ｄより大きい場合の重畳映像の位置に関する情報Ｅを発生する。
【００１６】
位置信号発生部２４はＳＩＣＢＬＡＮＫ信号及び制御信号Ｅを論理演算して色差信号の表示される画面上の位置を決定する位置信号ＳＩＲＹＭＸＣＴＬを生成する。
【００１７】
色差信号選択部２５は位置信号ＳＩＲＹＭＸＣＬＴに応じて元の映像の色差信号Ａ、重畳する映像の形状に対する色差信号Ｂ、重畳する映像の輪郭に対する色差信号Ｃ及びスレショルド色差信号Ｄのうち、いずれか一つを選択して出力する。即ち、重畳する映像の輪郭の内部位置にはＢ信号、重畳する映像の輪郭位置にはＣ信号、そして元の映像の表示される位置にはＡ信号を出力する。Ｂ信号がＤ信号より大きいと、Ｂ信号に代えてＤ信号がＢ信号の出力される位置に出力され、これによって画面上に表れる不自然な色が防止される。
【００１８】
これと同様に、Ｂ−Ｙ色差信号に対するスーパーインポーズ装置（図示せず）も図１に示した装置と同一の構成を有する。
【００１９】
図２は本発明による輝度信号のスーパーインポーズ装置のブロック図ある。図中、ＹＶＩ信号は元の映像の輝度信号、ＹＤＬＣＴＬ信号は輝度信号と色差信号との同期を合わせるために輝度信号を所定時間遅らせるための制御信号、ＹＳＩＣＴＬ信号は重畳する映像を表示する輝度信号の大きさを設定するための利得係数に関する情報を含む制御信号、ＹＥＤＧＥ信号は重畳する映像の輪郭に対する輝度信号の大きさに関する情報を含む制御信号、ＹＳＩＷＣＬ信号は輝度信号のホワイトクリップレベル信号、そしてＳＩＹＢＬＡＮＫ信号は重畳する映像の形態および位置に関する情報を含む制御信号である。
【００２０】
輝度信号遅延部４１はＹＤＬＣＴＬ信号に応じてＹＶＩ信号を所定時間遅延させる。
【００２１】
重畳輝度信号設定部４２は元の映像の輝度信号ＹＶＩ及びＹＳＩＣＴＬ信号を受けてＹＳＩＣＴＬ信号によって定まった利得係数に応じてＹＶＩ信号の大きさを変更し、重畳する映像の輝度信号Ｂ′の大きさを設定する。
【００２２】
輪郭輝度信号設定部４３はＹＥＤＧＥ信号に応じて重畳する映像の輪郭として表示される輪郭輝度信号Ｃ′を設定する。
【００２３】
スレショルド輝度信号設定部４４はＹＳＩＷＣＬ信号及び重畳輝度信号Ｂ′を受信してＹＳＩＷＣＬ信号をスレショルド輝度信号Ｄ′として出力し、さらに重畳輝度信号Ｂ′とＹＳＩＷＣＬ信号との大きさを比較して重畳輝度信号Ｂ′がＹＳＩＷＣＬ信号より大きい場合の重畳映像の位置に関する情報Ｅを発生する。
【００２４】
位置信号発生部４５はＳＩＹＢＬＡＮＫ信号及び制御信号Ｅを論理演算して輝度信号の表示される画面上の位置を設定する位置信号ＳＩＹＭＸＣＴＬを生成する。
【００２５】
輝度信号選択部４６は位置信号ＳＩＹＭＸＣＴＬに応じて元の映像の輝度信号Ａ′、重畳する映像の輝度信号Ｂ′、重畳する映像の輪郭輝度信号Ｃ′及びスレショルド輝度信号Ｄ′のうち、いずれか一つの信号を選択して出力する。即ち、重畳する映像の輪郭の内部位置にはＢ′信号、重畳する映像の輪郭の位置にはＣ′信号、そして元の映像の表示される位置にはＡ′信号を出力する。ここで、Ｂ′信号がＤ′信号より大きいとＢ′信号の出力される位置にＤ′信号が出力される。
【００２６】
図３は図１に示した色差信号のスーパーインポーズ装置の一実施形態を示した図で、図４は図３に示した装置の動作を説明するためのタイミング図である。
【００２７】
輪郭色差信号Ｃを出力する輪郭色差信号設定部３１０は、ＣＲＹＥＤＧＥ信号の入力されるレジスタ３１１及びＤフリップフロップ３１２を含む。
【００２８】
形状色差信号Ｂを出力する形状色差信号設定部３２０は、ＳＩＲＹＣＴＬ信号の入力されるレジスタ３２１、Ｄフリップフロップ３２２及びＤフリップフロップ３２２の出力と元の映像の色差信号ＣＶＩとを乗算する乗算器３２３を含む。
【００２９】
スレショルド色差信号Ｄ及びＤ信号の出力されるべき位置に関する情報ＣＺを出力するスレショルド色差信号設定部３３０は、ＳＩＲＹＴＨＡＤ信号の入力されるレジスタ３３１、Ｄフリップフロップ３３２、Ｄフリップフロップ３３２の出力と元の映像の色差信号ＣＶＩをマイコン（図示せず）の制御によって減算又は加算してスレショルド色差信号Ｄを出力する演算器３３３、演算器３３３の出力Ｄと乗算器３２３の出力Ｂとを比較する比較器３３４及び比較器３３４の出力信号と遅延されたブランキング信号ＣＤ１ＳＩＢＬＫをアンドするＡＮＤゲート３３５を含む。
【００３０】
位置信号ＣＳ１，ＣＤ１ＳＩＢＬＫを出力する位置信号発生部３４０は、Ｄフリップフロップ３４１、３４２、インバータ３４３，３４４，３４５、ＡＮＤゲート３４６，３４７及びＯＲゲート３４８を含む。
【００３１】
色差信号選択部３５０は、位置信号ＣＳ１，ＣＤ１ＳＩＢＬＫに応じて、入力された信号の中からいずれか一つの信号を選択するマックス３５１及びサブクロックＳＣＫによってマックス３５１の出力をラッチするＤフリップフロップ３５２を含む。マックス３５１はブランキング信号ＳＩＣＢＬＡＮＫが“ロー”の場合は元の映像の色差信号ＣＶＩを出力し、ブランキング信号ＳＩＣＢＬＡＮＫが“ハイ”の場合は重畳する映像に関する色差信号を出力する。
【００３２】
以下、ブランキング信号ＳＩＣＢＬＡＮＫが“ハイ”である場合の動作を説明する。輪郭に対する色差信号ＣＲＹＥＤＧＥがレジスタ３１１及びＤフリップフロップ３１２によって遅延されて輪郭信号の色と大きさが決まってからマックス３５１に出力される。利得係数ＳＩＲＹＣＴＬと元の映像の色差信号ＣＶＩが乗算器３２３で乗算され、その結果値がマックス３５１に出力される。一方、色差信号に対する基準値ＳＩＲＹＴＨＡＤはレジスタ３３１及びＤフリップフロップ３３２で遅延され、演算器３３３で元の映像の色差信号ＣＶＩと加算又は減算されてスレショルド色差信号Ｄを生成してからマックス３５１に出力される。
【００３３】
位置信号発生部３４０はブランキング信号ＳＩＣＢＬＡＮＫ及びＡＮＤゲート３３５の出力を受けて重畳する映像の位置信号として用いられるＣＳ１信号及びＣＤ１ＳＩＢＬＫ信号を出力する。マックス３５１はＯＲゲート３４８の出力信号及びＤフリップフロップ３４１の出力ＣＤ１ＳＩＢＬＫ信号に応じて次の表１のように動作する。
【００３４】
【表１】
0003831079.tif 000002
形状色差信号設定部３２０から出力される形状色差信号Ｂがスレショルド色差信号Ｄより大きいと、マックス３５１はスレショルド色差信号Ｄを出力し、これによって映像重畳又は文字混合によって発生し得る色の不自然さが防止される。
【００３５】
図４は図３に示した装置の動作を説明するためのタイミング図である。Ｄフリップフロップ３５２の出力信号ＣＳＩＶＯは位置信号ＣＳ１，ＣＤ１ＳＩＢＬＫに応じてマックス３５１から選択出力される信号である。ＣＳＩＶＯ信号において、ＣＤは元の映像信号、ＳＣＤは形状色信号、ＣＢＫは輪郭色信号、ＣＳＩＴＨはスレショルド色信号を示す。ＣＳＩＶＯ信号のｃ区間は重畳する映像の輪郭を強調するための輪郭信号が挿入された領域、そしてｂ区間は重畳する映像の輪郭の内部に表示される色差信号の挿入された領域である。
【００３６】
図５は図２に示した輝度信号のスーパーインポーズ装置の一実施形態を示したもので、図６は図５に示した装置の動作を説明するためのタイミング図である。
【００３７】
輝度信号遅延部４１０は元の映像の輝度信号ＹＶＩを所定時間遅延させるＤフリップフロップ４１１，４１２，４１３及び各Ｄフリップフロップ４１１，４１２，４１３から出力される信号をＹＤＬＣＴＬ信号に応じて出力するマックス４１４を含む。ここで、Ｄフリップフロップ４１１，４１２，４１３のクロック信号はシステムクロックＰＣＫを用いる。
【００３８】
重畳輝度信号設定部４２０は利得係数ＹＳＩＣＴＬ信号が入力されるレジスタ４２１、Ｄフリップフロップ４２２及びＤフリップフロップ４２２の出力信号とマックス４１４の出力信号Ａ′とを乗算する乗算器４２３を含む。乗算器４２３から出力される信号Ｂ′はマックス４６１に出力される。
【００３９】
輪郭信号設定部４３０は輪郭に対する輝度信号ＹＥＤＧＥが入力されるレジスタ４３１及びＤフリップフロップ４３２を含む。Ｄフリップフロップ４３２の出力信号Ｃ′はマックス４６１に出力される。
【００４０】
スレショルド信号設定部４４０は輝度信号のホワイトクリップレベル信号ＹＳＩＷＣＬの入力されるレジスタ４４１、Ｄフリップフロップ４４２、Ｄフリップフロップ４４２の出力信号Ｄ′と乗算器４２３の出力信号Ｂ′とを比較する比較器４４３及び比較器４４３の出力信号と遅延されたブランキング信号ＹＤ１ＳＩＢＬＫをアンドするＡＮＤゲート４４４を含む。
【００４１】
位置信号発生部４５０はブランキング信号ＳＩＹＢＬＡＮＫを遅延させるＤフリップフロップ４５１，４５２，４５３、各Ｄフリップフロップ４５１，４５２，４５３の出力信号を制御信号ＹＤＬＳＩＢＬＫＣＴＬに応じて出力するマックス４５４、マックス４５４の出力を遅延させるＤフリップフロップ４５６，４５７、インバータＩＮＶ  Ａ、ＩＮＶ  Ｂ，ＩＮＶ  Ｃ、ＡＮＤゲート４５８，４５９及びＯＲゲート４５９′を含む。位置信号発生部４５０はブランキング信号ＳＩＹＢＬＡＮＫ及びＡＮＤゲート４４４の出力信号Ｚが入力されて位置信号ＳＩ及びＹＤ１ＳＩＢＬＫを生成する。
【００４２】
輝度信号選択部４６０は位置信号ＳＩ、ＹＤ１ＳＩＢＬＫに応じて、入力された信号の中の一つの信号を選択するマックス４６１及びシステムクロックＰＣＫによってマックス４６１の出力をラッチするＤフリップフロップ４６２を含む。マックス４６１はブランキング信号ＳＩＹＢＬＡＮＫが“ロー”の場合は元の映像の輝度信号ＹＶＩを出力し、ブランキング信号ＳＩＹＢＬＡＮＫが“ハイ”の場合は重畳する映像に関する輝度信号を出力する。
【００４３】
以下、ブランキング信号が“ハイ”である場合の本装置の動作を説明する。
【００４４】
輪郭に対する輝度信号ＹＥＤＧＥがレジスタ４３１及びＤフリップフロップ４３２で遅延されて輪郭輝度信号Ｃ′の大きさが決定されてからマックス４６１に出力される。元の映像の輝度信号ＹＶＩと利得係数信号ＹＳＩＣＴＬは乗算器４２３で乗算され、その結果値がマックス４６１に出力される。
【００４５】
一方、輝度信号に対する基準値即ち、ホワイトクリップレベル信号ＹＳＩＷＣＬはレジスタ４４１及びＤフリップフロップ４４２で遅延されて出力された出力信号Ｄ’と、重畳輝度信号設定部４２０から出力される重畳輝度信号Ｂ′とが比較器４４３で比較された後、その出力信号をＤフリップフロップ４５６の出力信号ＹＤ１ＳＩＢＬＫとＡＮＤゲート４４４によってアンドされて制御信号Ｚが出力される。
【００４６】
ＯＲゲート４５９′の出力信号ＳＩ及びＤフリップフロップ４５６の出力信号ＹＤ１ＳＩＢＬＫは重畳される映像の位置制御信号として用いられる。マックス４６１は位置制御信号ＳＩ，ＹＤ１ＳＩＢＬＫに応じて次の表２のように動作する。
【００４７】
【表２】
0003831079.tif 000003
重畳輝度信号設定部４２０から出力される重畳輝度信号Ｂ′がホワイトクリップレベル信号Ｄ′より大きいと、マックス４６１はホワイトクリップレベル信号Ｄ′が出力され、よって映像重畳又は文字混合から発生し得る明暗の不自然さが防止される。
【００４８】
図６は図５に示した装置の動作を説明するためのタイミング図である。Ｄフリップフロップ４６２の出力信号ＹＳＩＶＯは位置信号発生部４５０から出力される位置信号ＳＩ、ＹＤ１ＳＩＢＬＫに応じてマックス４６１から選択出力された信号である。ＹＳＩＶＯ信号において、ＳＤは重畳輝度信号、ＷＴはホワイトクリップレベル信号、ＢＫは輪郭輝度信号、そしてＤは元の映像の輝度信号である。ＹＳＩＶＯ信号のｃ′区間は重畳する映像の輪郭を強調するための輪郭輝度信号が挿入された領域、そしてｂ′区間は重畳する映像の輪郭の内部に表示される輝度信号が挿入された領域である。
【００４９】
【発明の効果】
前述したように本発明によるスーパーインポーズ装置は重畳する映像や混合する文字に対する輪郭及び内部形状に対する色及び明暗を元の映像に基づいて変更して画面上に表示することによって映像重畳又は文字混合によって画面上に重畳される位置に存在する元の映像の形態をそのまま保ち得る。
【図面の簡単な説明】
【図１】本発明の一実施形態に係るＲ−Ｙ色差信号のスーパーインポーズ装置のブロック図である。
【図２】本発明の一実施形態に係る輝度信号のスーパーインポーズ装置のブロック図である。
【図３】図１に示した色差信号のスーパーインポーズ装置の一実施形態を示す回路図である。
【図４】図３に示したスーパーインポーズ装置の動作を説明するためのタイミング図である。
【図５】図２に示した輝度信号のスーパーインポーズ装置の一実施形態を示す回路図である。
【図６】図５に示したスーパーインポーズ装置の動作を説明するためのタイミング図である。
【図７】従来の技術による色差信号のスーパーインポーズ装置の構成を示したブロック図である。
【図８】従来の技術による輝度信号のスーパーインポーズ装置の構成を示したブロック図である。
【符号の説明】
１、８  アドレスレコーダ
２、３、９  ＲＯＭ
４、６、１１  マックス
５、７、１２  Ｄフリップフロップ
１０  遅延部
２１  輪郭色差信号設定部
２２  形状色差信号設定部
２３  スレショルド色差信号設定部
２４  位置信号発生部
２５  色差信号選択部
４１  輝度信号遅延部
４２  重畳輝度信号設定部
４３  輪郭輝度信号設定部
４４  スレショルド輝度信号設定部
４５  位置信号発生部
４６  輝度信号選択部
【図１】
0003831079.tif 000004
【図２】
0003831079.tif 000005
【図３】
0003831079.tif 000006
【図４】
0003831079.tif 000007
【図５】
0003831079.tif 000008
【図６】
0003831079.tif 000009
【図７】
0003831079.tif 000010
【図８】
0003831079.tif 000011